(57)【要約】眼科用ガラス（１）又は他の基板を洗浄する洗浄機の洗浄ユニットであって、前記洗浄ユニットは、２つの洗浄列（２２）（２３）を備え、前記各２つの洗浄列は、裾広型の形状を有する高圧力の洗浄液（３０）を発射し、該裾広型を有する洗浄液の幅は、洗浄されるガラス直径とほぼ等しい、もしくは該ガラス直径よりも大きい。前記洗浄列（２２）（２３）は、それぞれ平行に位置するとともに、洗浄されるガラス（１）の各面上にそれぞれ対向するように取付けられることで、２つの液流（３０）は、水平に位置する。前記２つの液流（３０）は前記ガラス（１）の凹面（１０）と凸面（１１）表面それぞれと接触し、前記洗浄ユニットは、さらに支持部材（４）を備え、前記支持部材（４）は、洗浄作業中、前記ガラスを安定した位置で挟持する。前記洗浄ユニットは、さらに、前記洗浄列（２２）（２３）もしくは前記ガラス（１）を移動させる手段（'２）を備え、前記手段は、前記各洗浄液の流れにより、前記ガラス（１）表面の前記凹面（１０）及び前記凸面（１１）を、同時に洗浄することを特徴とする。【選択図】  図１a
2008536672.tif 000002
【特許請求の範囲】
【請求項１】
眼科用ガラス（１）又は他の基板を洗浄する洗浄機の洗浄ユニットであって、
前記洗浄ユニットは、２つの洗浄列（２２）（２３）を備え、
前記各２つの洗浄列は、裾広型の形状を有する高圧力の洗浄液（３０）を発射し、該裾広型を有する洗浄液の幅は、洗浄されるガラス直径とほぼ等しい、もしくは該ガラス直径よりも大きく、
前記洗浄列（２２）（２３）は、それぞれ平行に位置するとともに、洗浄されるガラス（１）の各面上にそれぞれ対向するように取付けられることで、２つの液流（３０）は、水平に位置し、前記２つの液流（３０）は前記ガラス（１）の凹面（１０）と凸面（１１）表面それぞれと接触し、
前記洗浄ユニットは、さらに支持部材（４）を備え、
前記支持部材（４）は、洗浄作業中、前記ガラスを安定した位置で挟持し、
前記洗浄ユニットは、さらに、前記洗浄列（２２）（２３）もしくは前記ガラス（１）を移動させる手段（'２）を備え、
前記手段は、前記各洗浄液の流れにより、前記ガラス（１）表面の前記凹面（１０）及び前記凸面（１１）を、同時に洗浄することを特徴とする洗浄ユニット。
【請求項２】
各洗浄列（２２）（２３）から放出される複数の前記洗浄液の噴流は、裾広型の形状を有する液流から形成され、
前記裾広型の形状を有する液流が噴霧口（３）によって発射され、
前記噴霧口（３）は、一列に配置されるとともに、一定間隔を空けて規則的に設置され、
前記設置により、前記液流（'３０）は前記ガラス（１）に接触するとともに、１つの液流（３０）を形成し、
前記液流（３０）の幅は、洗浄されるガラス直径とほぼ等しい、もしくは該ガラス直径よりも大きいことを特徴とする、請求項１記載の洗浄ユニット。
【請求項３】
前記洗浄列（２２）（２３）は、回転動作と同時に直線動作をし、
前記回転動作と前記直線動作は、洗浄されるガラスに対して平行であることを特徴とする、請求項１あるいは請求項２記載の洗浄ユニット。
【請求項４】
前記洗浄列（２２）（２３）は垂直柱（２'）に対して、直交するように接合され、
前記垂直柱は、軸を中心にして回転するように取り付けられることを特徴とする、請求項３記載の洗浄ユニット。
【請求項５】
各洗浄列（２２）（２３）は高圧力の洗浄液の流路チャンバ（２４）を有し、
前記垂直柱（２'）はチャネル（２５）を有し、該チャネル（２５）は高圧力の洗浄液を前記流路チャンバ（２４）に放出することを特徴とする、請求項４記載の洗浄ユニット。
【請求項６】
前記ガラス（１）は、固定された洗浄位置で、水平方向に維持され、
前記固定された洗浄位置は、前記２つの配線（２２）（２３）の間で、締付け用クランプ（４）を用いて、ガラスを固定する位置であって、
前記締付け用クランプ（４）は２つのキャリパス部材（４０）からなり、前記キャリパス部材は互いに遠ざけたり、近づけたりすることで、洗浄中、前記ガラスを確実に挟持することを特徴とする、請求項１乃至５いずれか記載の洗浄ユニット。
【請求項７】
前記ガラス（１）上の前記締付け用キャリパス部材（４０）は、レバーアーム（４１）を備え、
前記レバーアーム（４１）は先端部の１つに、クランプ（４２）を備え、
前記クランプ（４２）は金属プレート（４５）でできており、
前記金属プレート（４５）はＵ字型に折り曲げられ、
前記Ｕ字型の金属プレートは、Ｖ字型のノッチ（４６）を備え、
前記Ｖ字型のノッチ（４６）は、前記Ｕ字型の金属プレートの各枝部の左右に設置されることで、前記ガラス（１）の縁部を保持することを特徴とする、請求項６記載の洗浄ユニット。
【請求項８】
キャリパス部材（４１）の前記レバーアーム（４１）は該レバーアームの他方の端部において基部（４３）を備え、
前記基部は、軸（４４）を中心に回転するよう取付けられるとともに、他方のアーム（４１）の前記レバーアームと連接され、
前記連接により、一方が他方に関連づけられ、前記２つのアーム（４１）は回動可能になるとともに、前記クランプ（４２）を互いに引き離したり、接近させたりすることが可能であることを特徴とする、請求項７記載の洗浄ユニット。
【請求項９】
前記ノッチ（４６）の端部が鋸歯状に切取られることにより、前記ノッチ（４６）内においてガラス（１）縁部の締付けが強固になることを特徴とする、請求項７あるいは請求項８記載の洗浄ユニット。
【発明の詳細な説明】
【技術分野】
【０００１】
本発明は、眼科用ガラス又は他の基板を洗浄する機器の洗浄ユニットを開発することを目的とする。
【背景技術】
【０００２】
現在では、眼科用ガラスは手動で又は自動的に洗浄され、洗浄は洗浄機の筐体に取り付けられた洗浄ユニットのブラシの回転を利用して行う。洗浄機には洗浄される多くのガラスが保管されていて、輸送手段を介して様々な洗浄ユニットや乾燥ユニットへと運ばれる。
【発明の開示】
【発明が解決しようとする課題】
【０００３】
しかしながら、ブラシの荒毛が眼科用ガラスの凹凸表面を通って洗浄を行なう際、とりわけ、ブラシの荒毛が熱硬化性樹脂の有機ガラスと接触するときは、表面には多数の傷ができる。
【０００４】
本発明は、眼科用ガラスを洗浄する機器の洗浄ユニットを提供することにより、上記の問題点を改善することを目的としており、効率よく眼科用ガラスを洗い、凹凸表面を傷つけずに洗浄を行い、洗浄の生産性を向上させるものである。
【課題を解決するための手段】
【０００５】
本発明によると、眼科用ガラスを洗浄する機器の洗浄ユニットは、２つの洗浄列を備える。上記の洗浄列からは洗浄ガラスの直径とほぼ同等か又はそれ以上の幅で、高圧洗浄液の噴流を噴出させることが可能である。該洗浄列はガラスの各側面で互いに平行に向かい合うように取り付けられており、二つの洗浄液の噴流はそれぞれ同じ高さにあって、上記ガラスの凹凸表面に接触する。眼科用ガラスを洗浄する機器の洗浄ユニットはさらに支持部材を備える。該支持部材は洗浄中にガラスを安定した位置に保ち、上記噴流やガラスの位置を定めている。その結果、支持部材は洗浄液の噴流でガラスの凹凸表面を同時洗浄することができる。
【０００６】
各洗浄列から放出される複数の前記洗浄液の噴流は、裾広型の形状を有する液流から形成される。裾広型の形状を有する液流は噴霧口によって発射される。前記噴霧口は、一列に配置されるとともに、一定間隔を空けて規則的に設置される。前記設置により、前記液流はガラスに接触するとともに、１つの液流を形成する。その液流は洗浄されるガラスの直径とほぼ同等かそれ以上の幅である。
【０００７】
洗浄列は回転動作すると同時に、又は洗浄されるガラスに平行に移動する。例えば、洗浄列は垂直柱と直交するように結合する。その垂直柱は軸を中心にして回転するように取り付けられている。
【０００８】
好適な実施例において、各洗浄列は洗浄液のための高圧流路チャンバを有し、垂直柱は高圧下で洗浄液を上記流路チャンバへと送り込むチャネルを有する。
【０００９】
ガラスは２つの洗浄列間の固定された洗浄位置で、締付け用クランプ（締め金）を用いることにより水平に維持される。そのクランプは遠ざけたり近づけたりすることが可能な二つのキャリパス部材を備え、洗浄中にガラスを固定する。締付け用キャリパス部材は、ガラスを挟持するとともに、レバーアームを備える。レバーアームの一方の先端には金属プレートからなるクランプを有し、Ｕ字型に折り曲げられている。Ｕ字型の金属プレートの枝部の各側端にはＶ字形状のノッチを有し、該ノッチがガラス（１）の縁部を受け付ける。ノッチ先端が適切に鋸歯状にカットされていることにより、ガラス縁部の固定が改善される。
【００１０】
ガラスは上記のように洗浄中ペンチで固定されていて、対向する二つの液流により、対抗する力がガラスの凹凸表面に同時に働く。このことで、ガラスの安定性が強化され、クランプからガラスが押し出されたり、又は高圧液体によって破壊されたりするのを防ぐ。
【発明を実施するための最良の形態】
【００１１】
本発明の優位性及び本発明の特徴は、下記において、添付図面を参照し、より明確に述べられる。以下の説明と添付図面により、本発明の実施形態を限定されない。
【００１２】
図面1ａ、１ｂ、１ｃを参照すると、本発明に係る眼科用ガラスの洗浄ユニットは、ブーム（基台部）（２）を備え、該ブームは、垂直柱（２'）を備えることがわかる。垂直柱（２'）は２つの水平方向のアーム、即ち上方アーム（２０）と下方アーム（２３）を有し、各アームは、対向するとともに、噴霧口の列（２２）（２３）を支持する。この噴霧口の列（２２）（２３）は、裾広型の形状に噴霧される高圧の洗浄液（２４）を、眼科用ガラス（１）上に発射する。この眼科用ガラス（１）は２つの噴霧口の列（２２）（２３）の間において、水平方向に位置する。
【００１３】
各列（２２）（２３）は、横方向に配列された噴霧口（３）を保持し、この噴霧口（３）は洗浄機能を有する高圧の液体（３０）の噴流を、裾広型の形状を成すように発射する。その結果、ガラス（１）表面の凹面（１０）と凸面（１１）は、洗浄される。
【００１４】
洗浄ユニットにおける、ブーム（２）の垂直柱（２'）は、軸を中心にして回転するように取り付けられる。そのことで、垂直柱（２'）に対して折れ曲がった張出し部（２２）（２３）は、ガラスの水平面に対して平行な水平面において、所定の角度ずつ角運動をなすと同時に洗浄される。
【００１５】
噴霧口の数及びその間隔が決定されることで、液流（３０）の放射範囲は、ガラス（１）表面の対応する凹面（１０）と凸面（１１）至る。そして、液流（３０）を並列させることで水のカーテンを形成し、その水の幅はガラスの直径にほぼ等しいもしくはそれ以上の幅を有するようになる。なお、このガラスは、液流（３０）の圧力及び速度のパラメータに応じて、噴霧口（３）から適切距離離れて位置している。
【００１６】
従って、ガラス（１）表面の凹面（１０）と凸面（１１）の洗浄は、列（２２）（２３）の角運動をなすことで実施される。なお、この角運動は、垂直柱（２）を軸にして回転運動を行なうと同時に、対向する２方向からの洗浄液の液流（３０）のカーテン（３１）を移動させ、ガラス（１）表面の２つの各凹表面（１０）と凸表面（１１）全体を洗浄するという効果をもたらす。
【００１７】
検査を行うことで以下に示すことが明らかになった。眼科用ガラス表面の汚濁全てを除去するには、各噴霧口（３）の出口にて発射される洗浄液は、８バールから３０バールの圧力、時速２００km/h以上の流速で、ガラス表面に命中されなければならない。また、洗浄液は、３０から５０L/m必要となる。
【００１８】
ガラス（１）は、締付け用クランプ（４）を用いて水平方向に固定され、２つの列（２２）（２３）の間で洗浄される。図２にて図示される、この締付け用クランプ（４）は、２つのキャリパス部材（４０）を備え、該２つのキャリパス部材が互いに接近することで、洗浄中、ガラス（１）をガラス周縁部でしっかりと挟持する。
【００１９】
ガラス用（１）における、引締めキャリパス部材（４０）は、レバーアーム（４１）を備え、該レバーアーム（４１）は一方の端部にクランプ（４２）を有するとともに、他方の端部に基部（４３）を備える。該レバーアーム（４１）は軸（４４）を中心にして回転するように取り付けられるとともに、ギアによって、他方のアーム（４１）における基部（４３）と連接される。その結果、一方が他方に関連付けられて、２つのアーム（４１）は回動可能となる。クランプ（４２）を互いに遠ざける、あるいは互いに近づけることにより、ガラス（１）の直径長にかかわらず、クランプはガラス（１）を挟持する。クランプ（４２）は、軸（４２'）を中心にして回動するように取付けられることで、特定の角度で制御される。その結果、ガラス（１）の直径に応じて、ガラス（１）の締付けの調整がなされる。
【００２０】
図３a、図３b、図３c及び図３dにて図示するように、クランプ（４２）は金属プレート（４５）でできており、該金属プレート（４５）は、Ｕ字型に折り曲げられる。そして、Ｖ字型のノッチ（４６）はＵ字型の各枝部（４７）の端部にて形成されるとともに、ガラス（１）の周縁部（１２）を受入れる。図３aにて示すように、ブラケット（取付け用金具）（４６）の端部が鋸歯状に切取られることで、ノッチ（４６）内においてガラス（１）縁部の締付けが強固にされる。
【００２１】
対向する２方向からの液流を、本発明に係る眼科用ガラスの２表面、即ち凹面と凸面に接触させることで、液流に対抗する力が生じる。その結果、液流の力が均衡し合い、ガラスの安定性が補強される。そして、クランプがガラス縁部を締付けることに起因して、ガラスが外れることを防止する。また、洗浄液の圧力及び高速の洗浄液噴流により、ガラスが破壊されるのを防止する。
【図面の簡単な説明】
【００２２】
【図１ａ】本発明に係る眼科用ガラスの洗浄ユニットの側面図である。
【図１ｂ】本発明に係る眼科用ガラスの洗浄ユニットの上面図である。
【図１ｃ】本発明に係る眼科用ガラスの洗浄ユニットの断面図である。
【図２】本発明の眼科用ガラスの洗浄ユニットにおける、ガラスを保持する締付け用クランプの側面図を示す。
【図３ａ】クランプの取手部の側面図を示している。この取手部は、本発明の眼科用ガラスの洗浄ユニットにおいて、ガラスを挟持するのに用いられる。
【図３ｂ】クランプの取手部の下面図である。
【図３ｃ】クランプの取手部の側面図である。
【図３ｄ】クランプの取手部のＶ字型ノッチにおける接触端部の詳細図である。
【図１ａ】
2008536672.tif 000003
【図１ｂ】
2008536672.tif 000004
【図１ｃ】
2008536672.tif 000005
【図２】
2008536672.tif 000006
【図３ａ】
2008536672.tif 000007
【図３ｂ】
2008536672.tif 000008
【図３ｃ】
2008536672.tif 000009
【図３ｄ】
2008536672.tif 000010
【国際調査報告】
2008536672.tif 000011
2008536672.tif 000012
2008536672.tif 000013
2008536672.tif 000014
2008536672.tif 000015
2008536672.tif 000016
2008536672.tif 000017
2008536672.tif 000018
2008536672.tif 000019
2008536672.tif 000020